(57)【要約】      （修正有）【課題】血管内で延在方向に往復動させ、または周方向に回動させることにより、血管の内壁に付着した血栓を、直接開口の周りに捕集し、開口から吸引除去することができる突起の設けられた中空長尺体を提供する。【解決手段】中空長尺体１は、延在方向に沿って延びる中空部２ａと、該中空部に連なる吸引装置への接続部とを備え、体内へと挿入される中空長尺体であって、外周面から前記中空部に貫通する開口１１が設けられ、外周面の開口を挟んだ両側に、それぞれ外周面から突出するとともに、開口側に向けて傾斜する突起１２が設けられている。【選択図】図２
2014217471.tif 000002
【特許請求の範囲】
【請求項１】
延在方向に沿って延びる中空部と、該中空部に連なる吸引装置への接続部とを備え、体内へと挿入される中空長尺体であって、
外周面から前記中空部に貫通する開口が設けられ、
前記外周面の前記開口を挟んだ両側に、それぞれ前記外周面から突出するとともに前記開口側に向けて傾斜する突起が設けられていることを特徴とする中空長尺体。
【請求項２】
前記外周面の前記開口を挟んだ両側に、それぞれ複数の前記突起が設けられていることを特徴とする請求項１に記載の中空長尺体。
【請求項３】
前記突起は前記中空部の延在方向に傾斜していることを特徴とする請求項１または２に記載の中空長尺体。
【請求項４】
前記突起は前記中空部の軸心を中心とした周方向に傾斜していることを特徴とする請求項１または２に記載の中空長尺体。
【請求項５】
前記突起は前記中空部の延在方向に傾斜する第１突起と前記中空部の軸心を中心とした周方向に傾斜する第２突起とを有することを特徴とする請求項１または２に記載の中空長尺体。
【請求項６】
延在方向の基端部に回転機構が装着されていることを特徴とする請求項４または５に記載の中空長尺体。
【請求項７】
前記開口をその開口方向上方側から見たとき、前記開口に隣接する前記突起の先端部分から前記開口までの距離が、前記突起の根元部分から前記開口までの距離よりも短いことを特徴とする請求項１〜６の何れか１項に記載の中空長尺体。
【請求項８】
前記外周面の前記開口を挟んだ両側に、複数の前記突起がブラシ状に設けられていることを特徴とする請求項１〜７の何れか１項に記載の中空長尺体。
【請求項９】
前記突起が壁状に形成されていることを特徴とする請求項１〜７の何れか１項に記載の中空長尺体。
【請求項１０】
延在方向の前記開口よりも遠位端側に、前記中空部の終端となる終端部が設けられていることを特徴とする請求項１〜９の何れか１項に記載の中空長尺体。
【請求項１１】
延在方向の先端部に径方向に拡張する拡張部を備え、前記開口および前記突起が該拡張部に設けられていることを特徴とする請求項１〜１０の何れか１項に記載の中空長尺体。
【発明の詳細な説明】
【技術分野】
【０００１】
本発明は、医療用に用いられる血栓吸引用カテーテル等の、体内へと挿入される中空長尺体に関する。
【背景技術】
【０００２】
従来から、血管内に生じた血栓を除去するために、カテーテル等の中空長尺体が用いられている。
【０００３】
例えば、特許文献１には、血管内にカテーテルを挿入し、このカテーテルを通して血管内に挿入したブラシにより血管の内壁に付着した血栓を分離させつつ当該カテーテルを通して血管内に導入した溶解剤により血栓を溶解除去するようにした治療デバイスが記載されている。
【０００４】
一方、血管内の血栓を吸引除去する治療方法に用いられるデバイスとして、血栓吸引用のカテーテルが知られている。血栓吸引用のカテーテルは先端が血栓の位置に達するまで血管内に挿通され、その基端部に装着されたシリンジ等の吸引装置を作動させることにより血管内から血栓を吸引除去することができる。
【０００５】
しかしながら、上記のように血管内の血栓を溶解剤により溶解し、または血管内の血栓を吸引するだけでは、血管内の血栓を十分に除去できない場合がある。
【０００６】
そこで、縮められた状態のバルーンを、イントロデューサシース等を用いて血管内の血栓の先の位置にまで挿入し、その位置でバルーンを膨張させ、当該位置から膨張したバルーンをイントロデューサシースに向けて引き抜くことで血栓を回収するようにしたバルーンカテーテルが開発されている。
【先行技術文献】
【特許文献】
【０００７】
【特許文献１】特開平７−１７１１５６号公報
【発明の概要】
【発明が解決しようとする課題】
【０００８】
しかしながら、上記従来のバルーンカテーテルは、膨張状態で血管内を移動して血栓を回収するものであるので、血管の内壁に付着した血栓を十分に回収することができず、また、回収の際に血栓が血管内で飛散するおそれがあるなど、血管内から血栓を十分に除去することは困難であった。
【０００９】
本発明は、このような課題に鑑みてなされたものであり、本発明の目的は、血管内の血栓を確実に除去することができる中空長尺体を提供することにある。
【課題を解決するための手段】
【００１０】
本発明の中空長尺体は、延在方向に沿って延びる中空部と、該中空部に連なる吸引装置への接続部とを備え、体内へと挿入される中空長尺体であって、外周面から前記中空部に貫通する開口が設けられ、前記外周面の前記開口を挟んだ両側に、それぞれ前記外周面から突出するとともに前記開口側に向けて傾斜する突起が設けられていることを特徴とする。
【００１１】
本発明の中空長尺体では、前記外周面の前記開口を挟んだ両側に、それぞれ複数の前記突起が設けられているのが好ましい。
【００１２】
本発明の中空長尺体では、前記突起は前記中空部の延在方向に傾斜しているのが好ましい。
【００１３】
本発明の中空長尺体では、前記突起は前記中空部の軸心を中心とした周方向に傾斜しているのが好ましい。
【００１４】
本発明の中空長尺体では、前記突起は前記中空部の延在方向に傾斜する第１突起と前記中空部の軸心を中心とした周方向に傾斜する第２突起とを有するのが好ましい。
【００１５】
本発明の中空長尺体では、延在方向の基端部に回転機構が装着されているのが好ましい。
【００１６】
本発明の中空長尺体では、前記開口をその開口方向上方側から見たとき、前記開口に隣接する前記突起の先端部分から前記開口までの距離が、前記突起の根元部分から前記開口までの距離よりも短いのが好ましい。
【００１７】
本発明の中空長尺体では、前記外周面の前記開口を挟んだ両側に、複数の前記突起がブラシ状に設けられているのが好ましい。
【００１８】
本発明の中空長尺体では、前記突起が壁状に形成されているのが好ましい。
【００１９】
本発明の中空長尺体では、延在方向の前記開口よりも遠位端側に、前記中空部の終端となる終端部が設けられているのが好ましい。
【００２０】
本発明の中空長尺体では、延在方向の先端部に径方向に拡張する拡張部を備え、前記開口および前記突起が該拡張部に設けられているのが好ましい。
【発明の効果】
【００２１】
本発明によれば、中空長尺体の外周面の開口を挟んだ両側に、それぞれ該外周面から突出するとともに開口側に向けて傾斜する突起を設けるようにしたので、中空長尺体を血管内で延在方向に往復動させ、または周方向に回動させることにより、血管の内壁に付着した血栓を突起によって直接開口の周りに捕集し、開口から吸引除去することができる。したがって、血管内の血栓を確実に除去することができる。
【図面の簡単な説明】
【００２２】
【図１】本発明の一実施の形態であるカテーテルの側面図であって、その一部を断面図で表した図である。
【図２】（ａ）は図１に示す吸引部の断面図であり、（ｂ）は同図（ａ）におけるＡ−Ａ線に沿う断面図である。
【図３】（ａ）は図１に示す突起の形状を示す斜視図であり、（ｂ）〜（ｄ）は図１に示す突起の変形例を示す図である。
【図４】（ａ）は図２に示す吸引部の変形例であって、カテーテルチューブの外周面に、中空部の軸心を中心とした周方向に傾斜する突起を設けた場合を示す側面図であり、（ｂ）は同図（ａ）におけるＢ−Ｂ線に沿う断面図である。
【図５】（ａ）図４に示す血栓吸引用カテーテルの基端部に装着される回転機構の側面図であり、（ｂ）は同図（ａ）に示す回転機構を矢視Ｃから見た正面図である。
【図６】図２に示す吸引部の変形例であって、カテーテルチューブの外周面に、中空部の延在方向に傾斜する突起と、中空部の軸心を中心とした周方向に傾斜する突起とを設けた場合を模式的に示す側面図である。
【図７】図２に示す吸引部の変形例であって、カテーテルチューブの先端部に設けた拡張部に開口と突起とを設けた場合を模式的に示す一部切欠き断面図である。
【発明を実施するための形態】
【００２３】
以下、本発明の実施の形態について図面を参照して例示説明する。
【００２４】
図１に示す本発明の一実施の形態であるカテーテル（中空長尺体）１は、血栓吸引用カテーテルとも呼ばれるものであり、血管内（体内）に挿入されて血管の内壁に付着した血栓等の異物を吸引除去するために用いられる。このカテーテル１は、このカテーテル１の本体部分となるカテーテルチューブ２とカテーテルハブ３とを有している。
【００２５】
カテーテルチューブ２は、例えば合成樹脂、シリコンゴム等の合成ゴムまたはエラストマー等の可撓性を有する材質により形成され、その内部には延在方向（長手方向）に沿ってその基端部（近位端）から先端部（遠位端）にまで延びる中空部２ａが設けられている。このカテーテルチューブ２は断面円形に形成されており、その外周面２ｂと内周面２ｃは円筒面となっている。カテーテルハブ３は、例えば樹脂材料や金属材料により円筒状に形成され、カテーテルチューブ２の基端部に固定されている。
【００２６】
カテーテルハブ３には、例えば図示するようなＹ型コネクタ４を接続することができる。Ｙ型コネクタ４は、その基端にガイドワイヤの挿入部４ａを備えており、カテーテルチューブ２を血管内に挿入する前に、Ｙ型コネクタ４の挿入部４ａからカテーテルチューブ２の中空部２ａ内にガイドワイヤ（不図示）を挿入することができる。
【００２７】
また、Ｙ型コネクタ４はガイドワイヤの案内経路から分岐する分岐部４ｂを備えている。この分岐部４ｂには接続チューブ５を介して吸引装置６が接続され、この吸引装置６は接続チューブ５とＹ型コネクタ４とを介してカテーテルチューブ２の中空部２ａに連通している。したがって、吸引装置６を作動させることにより、カテーテルチューブ２の中空部２ａ内を負圧にすることができる。なお、Ｙ型コネクタ４の基端のガイドワイヤの挿入部４ａには図示しない弁が設けられており、吸引装置６の作動時には、当該弁によりＹ型コネクタ４の挿入部４ａが閉塞される。このように、カテーテルハブ３は、Ｙ型コネクタ４を介して吸引装置６が接続される吸引装置６の接続部として機能する。
【００２８】
吸引装置６としては、例えば、図示するようにシリンジを用いることができる。吸引装置６としてシリンジを用いる場合には、当該シリンジとして吸引途中でプランジャーの位置を固定できるロック機構付きのものを用い、または、接続チューブ５の先端側または基端側に三方活栓を設けることにより、吸引途中でカテーテルチューブ２の中空部２ａ内を負圧状態に保持する構成とすることもできる。なお、吸引装置６としては、上記のようなシリンジに限らず、カテーテルチューブ２の中空部２ａ内を負圧にすることができるものであれば、他の構成の吸引装置を用いることもできる。
【００２９】
カテーテルチューブ２の延在方向の、カテーテルハブ３が装着される基端部（近位端）とは反対側となる先端部（遠位端）には、血管内の血栓を吸引するための吸引部１０が設けられている。
【００３０】
図２に示すように、この吸引部１０には４つの開口１１が設けられている。これらの開口１１は、そのうちの２つの開口１１がカテーテルチューブ２の延在方向に沿って一直線状に並べて配置されるとともに、他の２つの開口１１が、上記開口１１に対してカテーテルチューブ２の軸心を中心として周方向に１８０度ずれて配置されている。また、開口１１は、それぞれカテーテルチューブ２の外周面２ｂから内周面２ｃつまり外周面２ｂから中空部２ａに貫通し、中空部２ａをカテーテルチューブ２の外部に連通させている。したがって、吸引部１０が血管内に挿入された状態で吸引装置６により中空部２ａ内が負圧状態にされると、これらの開口１１が吸引口となって、血管内の血栓Ｍを開口１１からカテーテルチューブ２の中空部２ａ内に吸引することができる。
【００３１】
なお、本実施の形態においては、吸引部１０に４つの開口１１を上記の配置で設けるようにしているが、吸引部１０には少なくとも１つの開口１１が設けられていればよい。また、吸引部１０に複数の開口１１を設ける場合には、その個数や配置は、必要となる吸引力や吸引対象となる血栓Ｍの大きさ等に応じて任意に設定することができる。さらに、本実施の形態においては、開口１１は円形に形成されているが、これに限らず、例えば矩形形状や楕円形状など、種々の形状とすることもできる。
【００３２】
カテーテルチューブ２の先端には終端部としての終端壁（閉塞壁）２ｄが設けられている。この終端壁２ｄはカテーテルチューブ２と一体に設けられ、カテーテルチューブ２の先端つまり中空部２ａの先端を閉塞している。吸引部１０が設けられる先端部において中空部２ａの先端を閉塞した構成とすることにより、吸引装置６が作動したときに、開口１１により大きな吸引力が生じるようにして、より効率よく血栓Ｍを開口１１から中空部２ａ内に吸引することができる。
【００３３】
なお、終端壁２ｄはカテーテルチューブ２の先端に限らず、カテーテルチューブ２の延在方向の開口１１よりも遠位端側（先端側）であれば、任意の位置に設けることができる。また、カテーテルチューブ２と一体に形成される終端壁２ｄに代えて、終端部としての閉塞栓をカテーテルチューブ２の先端または中空部２ａの内部に固定して、中空部２ａを閉塞する構成とすることもできる。
【００３４】
一方、カテーテルチューブ２つまり中空部２ａの先端は、終端壁２ｄを設けることなく、開放された構成とすることもできる。この場合、カテーテルチューブ２つまり中空部２ａの先端側から血栓を吸引しつつ、開口１１によりカテーテルチューブ２の径方向外側からも血栓を吸引することができる。
【００３５】
図２に示すように、本発明のカテーテル１では、血管の内壁に付着した血栓Ｍを開口の周りに捕集するために、吸引部１０に複数の突起１２を設けるようにしている。これらの突起１２は、カテーテルチューブ２の外周面２ｂの開口１１を挟んだ両側に、カテーテルチューブ２の外周面２ｂから突出するとともに開口１１の側に向けて傾斜して設けられている。
【００３６】
本実施の形態では、開口１１に対してカテーテルチューブ２の延在方向の先端側と基端側とに、それぞれ複数の突起１２が設けられている。開口１１に対してカテーテルチューブ２の延在方向の先端側（図２中左側）に設けられる複数の突起１２は、図２（ａ）に示すように当該延在方向に向けて複数列（図示する場合は３列）に並ぶとともに、図２（ｂ）に示すようにカテーテルチューブ２の外周面２ｂの周方向に沿って当該外周面２ｂの全周に亘って等間隔に並べて配置されている。同様に、開口１１に対してカテーテルチューブ２の延在方向の基端側（図２中右側）に設けられる複数の突起１２は、図２（ａ）に示すように当該延在方向に向けて複数列に並ぶとともに、図２（ｂ）に示すようにカテーテルチューブ２の外周面２ｂの周方向に沿って当該外周面２ｂの全周に亘って等間隔に並べて配置されている。
【００３７】
図３（ａ）に示すように、それぞれの突起１２は、カテーテルチューブ２の外周面２ｂから突出する根元部分からその先端部分までの間が一様な円形の断面形状を有する棒状に形成されている。なお、図示する場合では、それぞれの突起１２は、カテーテルチューブ２と一体に形成されて当該カテーテルチューブ２の外周面２ｂから突出する構成とされているが、カテーテルチューブ２とは別体に形成した突起１２をカテーテルチューブ２の外周面２ｂに接着、溶着、植え付け等の手段により固定した構成とすることもできる。
【００３８】
図２に示すように、開口１１に対してカテーテルチューブ２の延在方向の先端側に配置される複数の突起１２は、カテーテルチューブ２の外周面２ｂに垂直な方向に対して、当該カテーテルチューブ２や中空部２ａの延在方向に沿って開口１１の側つまりカテーテルチューブ２の基端側に向けて傾斜している。反対に、開口１１に対してカテーテルチューブ２の延在方向の基端側に配置される複数の突起１２は、カテーテルチューブ２の外周面２ｂに垂直な方向に対して、当該カテーテルチューブ２や中空部２ａの延在方向に沿って開口１１の側つまりカテーテルチューブ２の先端側に向けて傾斜している。上記のように傾斜する突起１２は、開口１１をその開口方向上方側から見たとき、つまり開口１１をその軸心に沿って離れた位置から見たときに、突起１２の先端部分から開口１１までの距離は、突起１２の根元部分から開口１１までの距離よりも短くなっている。このように、カテーテルチューブ２の外周面２ｂの各開口１１の両側には、それぞれ開口１１に向けて互いに逆向きに傾斜する複数の突起１２が、複数列の環状に配置されてブラシ状に設けられている。
【００３９】
なお、本実施の形態では、全ての突起１２を、開口１１をその開口方向上方側から見たときに、その先端部分から開口１１までの距離が根元部分から開口１１までの距離よりも短くなるように傾斜させるようにしているが、開口１１に隣接する最前列の突起１２のみを、その先端部分から開口１１までの距離が根元部分から開口１１までの距離よりも短くなるように傾斜させる構成とすることもできる。  
【００４０】
なお、突起１２は、図３（ａ）に示すような断面円形の棒状に限らず、例えば図３（ｂ）に示すように、断面形状が略長方形状であるへら状に形成することもできる。また、突起１２は、カテーテルチューブ２の外周面２ｂから突出して開口１１の側に向けて傾斜する形状のものであれば、根元部分から先端部分まで一様な断面形状のものに限らず、例えば図３（ｃ）に示すように、根元部分から先端部分に向けて徐々に先細りとなるテーパ形状等とすることもできる。さらに、突起１２は、例えば図３（ｄ）に示すように、カテーテルチューブ２の外周面２ｂの全周に亘って円環状に延びる壁状に形成することもできる。
【００４１】
次に、このカテーテル１を用いて血管内の血栓Ｍを吸引除去する方法について説明する。
【００４２】
Ｙ型コネクタ４の挿入部４ａから挿入したガイドワイヤを血管に差し込んだイントロデューサシース（不図示）を用いて血管内に挿入し、このガイドワイヤに沿ってカテーテルチューブ２を、その吸引部１０が設けられる先端部の側から血管内に挿入する。
【００４３】
そして、カテーテルチューブ２の吸引部１０が血管の血栓Ｍが存在する部位にまで達すれば、その位置において、カテーテルチューブ２を血管内でその延在方向に沿って往復動作させることで、突起１２により血管の内壁に付着した血栓Ｍを捕集することができる。つまり、カテーテルチューブ２を血管内でその延在方向に沿って移動させると、開口１１に対してカテーテルチューブ２の移動方向の前方側となる突起１２は、血栓Ｍから加えられる荷重により外周面２ｂに接近する方向に弾性変形して当該血栓Ｍを開口１１の側に向けて通過させる一方、開口１１に対してカテーテルチューブ２の移動方向の後方側となる突起１２は血栓Ｍを捕らえてこれを血管の内壁から引き剥がしつつ開口１１の周りに捕集する。これは、カテーテルチューブ２の血管内での移動方向を反対としても同様である。
【００４４】
このように、カテーテルチューブ２の外周面２ｂの開口１１の両側に、それぞれ外周面２ｂから突出するとともに開口１１の側に向けてカテーテルチューブ２の延在方向に沿って傾斜する複数の突起１２を設けたことにより、血管内に挿入したカテーテルチューブ２をその延在方向に沿って往復動作させるだけの簡単な操作で、血管の内壁に付着した血栓Ｍを突起１２により効率よく開口１１の周りに捕集することができる。そして、上記のようにカテーテルチューブ２を血管内でその延在方向に沿って移動させて血栓Ｍを捕集しつつ、吸引装置６を作動させて中空部２ａを負圧状態とすることにより、突起１２によって開口１１の周りに捕集した血栓Ｍを、開口１１から効率よく吸引することができる。特に、カテーテルチューブ２の外周面２ｂの開口１１の両側に、複数の突起１２をブラシ状に配置することにより、血管の内壁に付着した血栓Ｍをさらに効率よく突起１２によって開口１１の周りに捕集することができる。
【００４５】
なお、血栓を吸引除去する作業を行う前に、カテーテルチューブ２の基端部から血栓を溶解するための溶解剤を注入し、この溶解剤を開口１１から血管内の血栓に向けて吐出させることもできる。
【００４６】
図４（ａ）は図２に示す吸引部の変形例であって、カテーテルチューブの外周面に、中空部の軸心を中心とした周方向に傾斜する突起を設けた場合を示す側面図であり、図４（ｂ）は同図（ａ）におけるＢ−Ｂ線に沿う断面図である。なお、図４においては、前述した部材に対応する部材には同一の符号を付してある。
【００４７】
図４に示す変形例では、カテーテルチューブ２の外周面２ｂの、開口１１に対してカテーテルチューブ２の軸心を中心とした周方向の一方側と他方側とに、それぞれ複数の突起１２が設けられている。開口１１に対してカテーテルチューブ２の周方向の一方側と他方側とに設けられる複数の突起１２は、それぞれ図４（ａ）に示すようにカテーテルチューブ２の延在方向に向けて複数列（図示する場合は８列）に並ぶとともに、図４（ｂ）に示すようにカテーテルチューブ２の外周面２ｂの周方向に沿って複数列（図示する場合は３列）に並べて配置されている。
【００４８】
そして、図４（ｂ）に示すように、当該図４（ｂ）中において右側半分の領域に設けられる複数の突起１２は、それぞれカテーテルチューブ２の外周面２ｂに垂直な方向に対して、中空部２ａの軸心を中心とした周方向（外周面２ｂの周方向）、つまり当該カテーテルチューブ２や中空部２ａの延在方向に垂直な面に沿って図中右側を向く開口１１の側に向けて周方向に傾斜している。同様に、図４（ｂ）中において左側半分の領域に設けられる複数の突起１２は、それぞれカテーテルチューブ２の外周面２ｂに垂直な方向に対して、中空部２ａの軸心を中心とした周方向（外周面２ｂの周方向）、つまり当該カテーテルチューブ２や中空部２ａの延在方向に垂直な面に沿って図中左側を向く開口１１の側に向けて周方向に傾斜している。
【００４９】
この場合においても、開口１１に隣接する最前列の突起１２は、開口１１をその開口方向上方側から見たとき、つまり開口１１をその軸心に沿って離れた位置から見たときに、突起１２の先端部分から開口１１までの距離が、突起１２の根元部分から開口１１までの距離よりも短くなるように傾斜している。なお、この場合においても、全ての突起１２を、開口１１をその開口方向上方側から見たとき、突起１２の先端部分から開口１１までの距離が、突起１２の根元部分から開口１１までの距離よりも短くなるように傾斜させる構成とすることもできる。
【００５０】
この変形例では、開口１１の両側に設けられる複数の突起１２は、それぞれ中空部２ａの軸心を中心とした周方向に傾斜しているので、カテーテルチューブ２をその軸心を中心として回動（揺動）させることで、血管の内壁に付着した血栓Ｍを突起１２によって直接開口１１の周りに捕集することができる。つまり、カテーテルチューブ２を血管内でその軸心を中心とした一方側に回動させると、開口１１に対してカテーテルチューブ２の回動方向の前方側となる突起１２は、血栓Ｍから加えられる荷重により外周面２ｂに接近する方向に弾性変形して当該血栓Ｍを開口１１の側に向けて通過させる一方、開口１１に対してカテーテルチューブ２の回動方向の後方側となる突起１２は血栓Ｍを捕らえてこれを血管の内壁から引き剥がしつつ開口１１の周りに捕集する。このように、開口１１の両側に、それぞれ開口１１の側に向けて中空部２ａの軸心を中心とした周方向に傾斜する複数の突起１２を設けたことにより、血管内に挿入したカテーテルチューブ２をその軸心を中心として回動させるだけの簡単な操作で、血管の内壁に付着した血栓Ｍを突起１２により効率よく開口１１の周りに捕集することができる。
【００５１】
図４に示す変形例において、カテーテルチューブ２をその軸心を中心として所定の角度範囲で回動（揺動）させるために、このカテーテル１に回転機構Ｄを装着することができる。
【００５２】
回転機構Ｄとしては、例えば図５に示すように、カテーテルハブ３を手動で回動させる構成のものを用いることができる。この場合、回転機構Ｄは、カテーテルハブ３の外側にカテーテルハブ３に対して相対回転自在に装着される円筒状のケース１３を備え、このケース１３の端面には、その軸心を中心として周方向に１８０度の間隔を空けて一対のストッパ片１４ａ，１４ｂが設けられる。一方、カテーテルハブ３の基端には一対の板状の操作片１５が固定され、これらの操作片１５は一対のストッパ片１４ａ，１４ｂの間に配置されている。このような構成により、ケース１３を保持した状態で、操作片１５を手動で操作して、一方のストッパ片１４ａに当接する位置と他方のストッパ片１４ｂに当接する位置との間の約１８０度の範囲で回動させるだけの簡単な操作で、カテーテルチューブ２をその軸心を中心とした１８０度の範囲で回動させることができる。つまり、このような回転機構Ｄを設けることにより、血管内に挿入したカテーテルチューブ２の回動操作を容易に行い得るようにすることができる。
【００５３】
図示する場合では、周方向に１８０度ずれた２つの開口１１を備えたカテーテルチューブ２に対応して、回転機構Ｄの回動範囲を１８０度としているが、例えば、カテーテルチューブ２の外周面２ｂに周方向に９０度毎ずれて４つの開口１１が設けられる場合に、回転機構Ｄのストッパ片１４ａ，１４ｂを周方向に９０度の間隔を空けて設けて、カテーテルチューブ２の回動範囲を９０度に設定するなど、回転機構Ｄによる回動範囲は任意に設定することができる。
【００５４】
図６は図２に示す吸引部の変形例であって、カテーテルチューブの外周面に、中空部の延在方向に傾斜する突起と、中空部の軸心を中心とした周方向に傾斜する突起とを設けた場合を模式的に示す側面図である。なお、図６においては、前述した部材に対応する部材には同一の符号を付してある。
【００５５】
この変形例では、カテーテルチューブ２の外周面２ｂには、図２に示す場合と同様に、カテーテルチューブ２の外周面２ｂの、開口１１に対してカテーテルチューブ２の延在方向の先端側と基端側に配置されて中空部２ａの延在方向に傾斜する複数の突起（第１突起）１２が設けられるとともに、図４に示す場合と同様に、カテーテルチューブ２の外周面２ｂの、開口１１に対してカテーテルチューブ２の軸心を中心とした周方向の一方側と他方側に配置されて中空部２ａの軸心を中心とした周方向に傾斜する複数の突起（第２突起）１２が設けられている。この変形例の構成によれば、カテーテルチューブ２を血管内で延在方向に往復動させ、または、軸心を中心として回動させることにより、血管の内壁に付着した血栓Ｍを突起１２により開口１１の周りに捕集することができるので、突起１２による血栓Ｍの捕集操作を容易にすることができるとともに、突起１２による血栓Ｍの捕集効率を高めることができる。
【００５６】
図７は図２に示す吸引部の変形例であって、カテーテルチューブの先端部に設けた拡張部に開口と突起とを設けた場合を模式的に示す一部切欠き断面図である。なお、図７においては、前述した部材に対応する部材には同一の符号を付してある。
【００５７】
この変形例では、カテーテルチューブ２の先端部（遠位端）に、径方向に拡張可能な拡張部２０を設け、この拡張部２０の外周面に開口１１と突起１２とを設けるようにしている。この変形例の構造によれば、血管Ｂｖ内で拡張部２０を径方向に拡張させることにより、その外周面２ｂに設けられた突起１２を血管Ｂｖの内壁や当該内壁に付着した血栓に接触し易くして、突起１２による血栓の捕集効率をさらに高めることができる。
【００５８】
拡張部２０としては、例えば、カテーテルチューブ２内に設けられた編み込み構造による自己拡張性を有し、径方向に収縮した状態でシースを通して血管内に挿入され、シースの先端から血管内に送出されたときに径方向に自己拡張する自己拡張型のものを用いるのが好ましいが、拡張部２０として他の構成のものを用いることもできる。
【００５９】
本発明は前記実施の形態に限定されるものではなく、その要旨を逸脱しない範囲で種々変更可能であることはいうまでもない。
【００６０】
例えば、前記実施の形態においては、中空長尺体はカテーテル１とされているが、これに限らず、中空長尺体はイントロデューサシースとすることもできる。
【００６１】
また、本発明の中空長尺体であるカテーテル１は、人体の静脈に生じた血栓を吸引除去するのに用いるのが好適であるが、人体の動脈に生じた血栓を吸引除去するのに用いることもでき、また、血管内の血栓以外の異物の吸引除去に用いることもできる。
【符号の説明】
【００６２】
１    カテーテル（中空長尺体）
２    カテーテルチューブ
２ａ  中空部
２ｂ  外周面
２ｃ  内周面
２ｄ  終端壁（終端部）
３    カテーテルハブ
４    Ｙ型コネクタ
４ａ  挿入部
４ｂ  分岐部
５    接続チューブ
６    吸引装置
１０    吸引部
１１    開口
１２    突起
１３    ケース
１４ａ，１４ｂ  ストッパ片
１５    操作片
２０    拡張部
Ｄ    回転機構
Ｍ    血栓
Ｂｖ    血管
【図１】
2014217471.tif 000003
【図２】
2014217471.tif 000004
【図３】
2014217471.tif 000005
【図４】
2014217471.tif 000006
【図５】
2014217471.tif 000007
【図６】
2014217471.tif 000008
【図７】
2014217471.tif 000009